(57)【要約】【課題】組織を切断するための単極電極を含む手持ち式電気手術器具を提供すること。【解決手段】電気手術器具は、シャフト、シャフトに連結された細長い電気手術ブレード、およびハウジングを含む。シャフトは電気エネルギー源に連結され、電気手術ブレードはシャフトに連結される。電気手術ブレードは、長手方向に延在する折り目を画定し、手動で曲げられるように構成される。ハウジングは、シャフトおよび電気手術ブレードを少なくとも部分的に覆う。【選択図】なし【特許請求の範囲】
【請求項１】
電気手術器具であって、
電気エネルギー源に連結されるように構成されたシャフト、
前記シャフトに連結され、長手方向に延在する折り目を画定する細長い電気手術ブレードであって、手動で曲げられるように構成された導電性材料から製造された電気手術ブレード、および
前記シャフトおよび前記電気手術ブレードを少なくとも部分的に覆うハウジング、を備える、電気手術器具。
【請求項２】
前記導電性材料がタングステンである、請求項１に記載の電気手術器具。
【請求項３】
前記電気手術ブレードが約０．００２インチ〜約０．００７インチの厚みを有する、請求項１に記載の電気手術器具。
【請求項４】
前記電気手術ブレードの前記厚みが約０．００５インチである、請求項３に記載の電気手術器具。
【請求項５】
前記ハウジングが、前記電気手術ブレードの近位端部分と前記シャフトの遠位端部分の周りにオーバーモールドされている、請求項１に記載の電気手術器具。
【請求項６】
前記ハウジングが、ハンドル内における前記ハウジングの回転を防止する非円形の外面構成を有する、請求項１に記載の電気手術器具。
【請求項７】
前記ハウジングが、その遠位端部分の遠位に面する表面で画定されたスリットを有し、前記電気手術ブレードが前記スリットから延在する、請求項１に記載の電気手術器具。
【請求項８】
前記電気手術ブレードが、前記シャフトの遠位端部分に溶接された近位端部分を有する、請求項１に記載の電気手術器具。
【請求項９】
前記電気手術ブレードが、
第１の長手方向部、および
前記長手方向に延在する折り目を中心にして、前記第１の長手方向部に対して角度を付けられた第２の長手方向部を、含む、請求項１に記載の電気手術器具。
【請求項１０】
前記第１の長手方向部と第２の長手方向部との間の前記角度が約１２０度〜約１７５度である、請求項９に記載の電気手術器具。
【請求項１１】
前記第１の長手方向部と第２の長手方向部との間の前記角度が約１６０度である、請求項１０に記載の電気手術器具。
【請求項１２】
前記第１の長手方向部と第２の長手方向部との間の前記角度が、前記電気手術ブレードに沿って近位方向に狭くなる鈍角である、請求項９に記載の電気手術器具。
【請求項１３】
前記長手方向に延在する折り目が非線形、線形、または曲線である、請求項１に記載の電気手術器具。
【請求項１４】
前記導電性材料が、縦方向に配向された粒状構造を有する、請求項１に記載の電気手術器具。
【請求項１５】
電気手術器具であって、
導電性材料から製造され、電気手術エネルギー源に電気的に連結されるように構成された細長いシャフト、
前記シャフトの遠位端部分に固定された近位端部分を有する電気手術ブレードであって、タングステンから製造され、前記電気手術ブレードの長さに沿って延在する長手方向に延在する折り目を画定する電気手術ブレード、および
前記細長いシャフトの前記遠位端部分および前記電気手術ブレードの前記近位端部分の周りにオーバーモールドされたハウジング、を備える、電気手術器具。
【請求項１６】
前記電気手術ブレードが約０．００５インチの厚みを有する、請求項１５に記載の電気手術器具。
【請求項１７】
前記ハウジングが、ハンドル内における前記ハウジングの回転を防止する六角形の外面構成を有する、請求項１５に記載の電気手術器具。
【請求項１８】
前記ハウジングが、その遠位端部分の遠位に面する表面で画定されたスリットを有し、前記電気手術ブレードが前記スリットから延在する、請求項１５に記載の電気手術器具。
【請求項１９】
前記電気手術ブレードが、
第１の長手方向部、および
前記長手方向に延在する折り目を中心にして、前記第１の長手方向部に対して角度を付けられた第２の長手方向部を、含む、請求項１５に記載の電気手術器具。
【請求項２０】
前記第１の長手方向部と第２の長手方向部との間の前記角度が、前記電気手術ブレードに沿って近位方向に狭くなる鈍角である、請求項１９に記載の電気手術器具。
【発明の詳細な説明】
【技術分野】
【０００１】
本開示は、組織を切断するための単極電極を含む手持ち式電気手術器具に関する。
【背景技術】
【０００２】
電気手術は、高周波電流を適用して、電気手術中に生体組織を切断または修正することを伴う。電気手術の２つの主なモードは、単極と双極の電気手術である。単極電気手術は、その汎用性と効果の高さから一般的に使用されている。電気手術器具は、典型的には、手持ち式器具、例えば、電気手術用電極を介して電気手術エネルギーを組織部位に伝達する電気手術用ペンシルである。身体組織の切断に影響を与えるために、電極は通常、接触面積が小さい薄い電極である。電極の形状とサイズは、手術の目的によって異なり得る。
【発明の概要】
【課題を解決するための手段】
【０００３】
本開示の一態様に従って電気手術器具が提供され、電気手術器具は、シャフト、シャフトに連結された細長い電気手術ブレード、およびハウジングを含む。シャフトは、電気エネルギー源に連結されるように構成される。電気手術ブレードは、シャフトに連結され、手動で曲げられるように構成される導電性材料から製造される。電気手術ブレードは、長手方向に延在する折り目を画定する。ハウジングは、シャフトおよび電気手術ブレードを少なくとも部分的に覆う。
【０００４】
態様においては、電気手術ブレードは、約０．００２インチ〜約０．００７インチの厚みを有し得る。電気手術ブレードは、縦方向に配向された粒状構造をさらに含み得る。
【０００５】
態様においては、ハウジングは、電気手術ブレードの近位端部分とシャフトの遠位端部分の周りにオーバーモールドされ得る。ハウジングは、その遠位端部分の遠位に面する表面にスリットをさらに画定し得る。電気手術ブレードは、スリットから延在する。
【０００６】
態様においては、ハウジングは、ハンドル内におけるハウジングの回転を防止するために、非円形の外面構成を有し得る。
【０００７】
態様においては、電気手術ブレードは、シャフトの遠位端部分に溶接された近位端部分を有し得る。電気手術ブレードは、第１の長手方向部と、長手方向に延在する折り目を中心に第１の長手方向部に対して角度が付けられた第２の長手方向部とをさらに含み得る。
【０００８】
態様においては、第１の長手方向部と第２の長手方向部との間の角度は、約１２０度〜約１７５度であり得る。他の態様においては、第１の長手方向部と第２の長手方向部との間の角度は、電気手術ブレードに沿って近位方向に狭くなる鈍角であり得る。長手方向に延在する折り目は、非線形、線形、または曲線であり得る。
【０００９】
本開示の別の態様によれば、電気手術器具が提供され、電気手術器具は、細長いシャフト、電気手術ブレード、およびハウジングを含む。細長いシャフトは、導電性材料から製造され、電気手術エネルギー源に電気的に連結されるように構成される。電気手術ブレードは、シャフトの遠位端部分に固定された近位端部分を有する。電気手術ブレードは、タングステンから製造され得、電気手術ブレードの長さに沿って延在する長手方向に延在する折り目を画定する。ハウジングは、細長いシャフトの遠位端部分および電気手術ブレードの近位端部分の周りにオーバーモールドされている。
本願明細書は、例えば、以下の項目も提供する。
（項目１）
電気手術器具であって、
電気エネルギー源に連結されるように構成されたシャフト、
上記シャフトに連結され、長手方向に延在する折り目を画定する細長い電気手術ブレードであって、手動で曲げられるように構成された導電性材料から製造された電気手術ブレード、および
上記シャフトおよび上記電気手術ブレードを少なくとも部分的に覆うハウジング、を備える、電気手術器具。
（項目２）
上記導電性材料がタングステンである、上記項目に記載の電気手術器具。
（項目３）
上記電気手術ブレードが約０．００２インチ〜約０．００７インチの厚みを有する、上記項目のいずれかに記載の電気手術器具。
（項目４）
上記電気手術ブレードの上記厚みが約０．００５インチである、上記項目のいずれかに記載の電気手術器具。
（項目５）
上記ハウジングが、上記電気手術ブレードの近位端部分と上記シャフトの遠位端部分の周りにオーバーモールドされている、上記項目のいずれかに記載の電気手術器具。
（項目６）
上記ハウジングが、ハンドル内における上記ハウジングの回転を防止する非円形の外面構成を有する、上記項目のいずれかに記載の電気手術器具。
（項目７）
上記ハウジングが、その遠位端部分の遠位に面する表面で画定されたスリットを有し、上記電気手術ブレードが上記スリットから延在する、上記項目のいずれかに記載の電気手術器具。
（項目８）
上記電気手術ブレードが、上記シャフトの遠位端部分に溶接された近位端部分を有する、上記項目のいずれかに記載の電気手術器具。
（項目９）
上記電気手術ブレードが、
第１の長手方向部、および
上記長手方向に延在する折り目を中心にして、上記第１の長手方向部に対して角度を付けられた第２の長手方向部を、含む、上記項目のいずれかに記載の電気手術器具。
（項目１０）
上記第１の長手方向部と第２の長手方向部との間の上記角度が約１２０度〜約１７５度である、上記項目のいずれかに記載の電気手術器具。
（項目１１）
上記第１の長手方向部と第２の長手方向部との間の上記角度が約１６０度である、上記項目のいずれかに記載の電気手術器具。
（項目１２）
上記第１の長手方向部と第２の長手方向部との間の上記角度が、上記電気手術ブレードに沿って近位方向に狭くなる鈍角である、上記項目のいずれかに記載の電気手術器具。
（項目１３）
上記長手方向に延在する折り目が非線形、線形、または曲線である、上記項目のいずれかに記載の電気手術器具。
（項目１４）
上記導電性材料が、縦方向に配向された粒状構造を有する、上記項目のいずれかに記載の電気手術器具。
（項目１５）
電気手術器具であって、
導電性材料から製造され、電気手術エネルギー源に電気的に連結されるように構成された細長いシャフト、
上記シャフトの遠位端部分に固定された近位端部分を有する電気手術ブレードであって、タングステンから製造され、上記電気手術ブレードの長さに沿って延在する長手方向に延在する折り目を画定する電気手術ブレード、および
上記細長いシャフトの上記遠位端部分および上記電気手術ブレードの上記近位端部分の周りにオーバーモールドされたハウジング、を備える、電気手術器具。
（項目１６）
上記電気手術ブレードが約０．００５インチの厚みを有する、上記項目のいずれかに記載の電気手術器具。
（項目１７）
上記ハウジングが、ハンドル内における上記ハウジングの回転を防止する六角形の外面構成を有する、上記項目のいずれかに記載の電気手術器具。
（項目１８）
上記ハウジングが、その遠位端部分の遠位に面する表面で画定されたスリットを有し、上記電気手術ブレードが上記スリットから延在する、上記項目のいずれかに記載の電気手術器具。
（項目１９）
上記電気手術ブレードが、
第１の長手方向部、および
上記長手方向に延在する折り目を中心にして、上記第１の長手方向部に対して角度を付けられた第２の長手方向部を、含む、上記項目のいずれかに記載の電気手術器具。
（項目２０）
上記第１の長手方向部と第２の長手方向部との間の上記角度が、上記電気手術ブレードに沿って近位方向に狭くなる鈍角である、上記項目のいずれかに記載の電気手術器具。
（摘要）
電気手術器具は、シャフト、シャフトに連結された細長い電気手術ブレード、およびハウジングを含む。シャフトは電気エネルギー源に連結され、電気手術ブレードはシャフトに連結される。電気手術ブレードは、長手方向に延在する折り目を画定し、手動で曲げられるように構成される。
【図面の簡単な説明】
【００１０】
本開示の上記および他の態様、特徴、および利点は、添付の図面と関連させて以下の詳細な説明を考慮してより明らかになるであろう。
【００１１】
【図１】本開示による電気手術システムの概略図である。
【図２】図１のシステムの電気手術器具を示す斜視図である。
【図３】図２の電気手術器具の電極アセンブリを示す側面斜視図である。
【図４】図３の電極アセンブリを示す側面透視図である。
【図５】図３の電極アセンブリの電気手術ブレードの遠位端部分を示す正面図である。
【発明を実施するための形態】
【００１２】
本開示の実施形態は、添付の図面を参照して以下の本明細書に記載される。以下の記載では、周知の機能または構成は、本開示を不必要に詳細に示して不明瞭にすることを避けるために、詳細には記載されていない。本明細書で使用される場合、「遠位」という用語は、ユーザからさらに遠いデバイスの部分を示し、「近位」という用語は、ユーザにより近いデバイスの部分を示す。
【００１３】
電気手術器具の以下の態様、特に電気手術器具の電気手術ブレード電極は、電気手術ブレード電極の強度を維持し、腐食を防ぎながら、高速で微細なまたは積極的な精密切開を可能にする機能を組み込む。本明細書に開示される電気手術ブレード電極の態様は、組織の積極的な切開中に剛性を維持しながら、組織の迅速な切開、組織の精密な切開、および連続的な可撓性を可能にする構造的特徴を含む。
【００１４】
以下の開示は、手持ち式ペンシル型電気手術器具で使用されるものとして電気手術ブレード電極を説明しているが、本明細書に開示される電気手術ブレード電極のすべての態様の構造的特徴の利点は、ロボット外科システムによって実現することができることを理解されたく、以下の開示は限定を意図するものではない。
【００１５】
図１は、本開示による電気手術システム１を図示する。電気手術システム１は、例えば、電気手術発電機２などの電気手術エネルギー源と、発電機２に連結された電気手術器具８とを含む。電気手術器具８は、患者６の組織を治療するための１つ以上の活性電極（図には明示せず）を有する。電気手術器具８は、例えば、電気手術切断プローブ、切除電極（単数または複数）、および／または同様のもの、などの１つ以上の活性電極を含む単極器具である。電気手術無線周波数（ＲＦ）エネルギーは、アクティブ出力端子に接続されたケーブル４を介して発電機２によって電気手術器具８に供給され、電気手術器具８が組織を凝固、切除および／または他の方法で治療することを可能にする。発電機２は、本明細書ではＲＦエネルギーを送達するものとして説明されているが、これは単なる例であり、限定するものとして解釈されるべきではない。様々な実施形態における発電機２は、追加的または代替的に、超音波エネルギー、マイクロ波エネルギー、電磁スペクトルの他の部分のエネルギーおよび／または同様のもの、などの任意の好適なタイプのエネルギーを送達し得る。いくつかの態様においては、電気手術器具８は、双極器具として代替的に構成され得る。
【００１６】
図２〜図４を参照すると、電気手術器具８は、一般に、ハンドル部分１０と、ハンドル部分１０に支持された電極アセンブリ１２とを含む。ハンドル部分１０は、ケーブル４を介して発電機２を作動させるための１つ以上のユーザ入力ボタンを有する。電気手術器具８の電極アセンブリ１２は、シャフト１００、ハウジング１０８、および細長い電気手術ブレード１１６を有する。シャフト１００は、近位端部分１００ａと遠位端部分１００ｂとを含む。シャフト１００の近位端部分１００ａは、発電機２から電気エネルギーを受け取るために、電気手術器具８のハンドル部１０を介してケーブル４に連結されるように構成される。シャフト１００は、例えば、ステンレス鋼などの導電性材料から製造され得る。シャフト１００の他の構成材料も考えられる。
【００１７】
電極アセンブリ１２のハウジング１０８は、シャフト１００の遠位端部分１００ｂおよび電気手術ブレード１１６の近位端部分１１６ａを少なくとも部分的に覆う。ハウジング１０８は、シャフト１００および電気手術ブレード１１６を互いに固定するのを補助するために、シャフト１００および電気手術ブレード１１６の上にオーバーモールドされ得る。ハウジング１０８は、少なくともその近位端部分１０８ａ上に非円形の外面１１０を有し、電気手術器具８のハンドル部１０の対応する形状の凹部（図には明示せず）と係合するように構成される。例えば、ハウジング１０８は、六角形の外面１１０を伴う近位端部分１０８ａを有することができる。したがって、ハンドル部分１０が電極アセンブリ１２のハウジング１０８を受け取ると、ハウジング１０８の六角形の外面１１０は、ハンドル部分１０内およびハンドル部分１０に対して電極アセンブリ１２の回転に抵抗する。ハウジング１０８は、その遠位に面する表面にスリット１１２を画定する遠位端部分１０８ｂを有する。電気手術ブレード１１６は、ハウジング１０８のスリット１１２から遠位方向に延在するように構成され、電気手術ブレード１１６に支持を提供する。本開示の態様においては、ハウジング１０８の近位端部分１０８ａの外面１１０は、矩形形状、またはハンドル部１０内およびハンドル部１０に対する電極アセンブリ１２の回転に抵抗するのに好適な任意の他の形状であり得る。
【００１８】
電極アセンブリ１２の電気手術ブレード１１６は、シャフト１００の遠位端部分１００ｂに連結された近位端部分１１６ａと、遠位端部分１１６ｂとを含む。電気手術ブレード１１６およびシャフト１００の連結は、例えば、レーザー溶接によって達成され得る。態様においては、シャフト１００の遠位端部分１００ｂおよび電気手術ブレード１１６の近位端部分１１６ａは、導電性接着剤、締結具、または同様のもの、などを介して互いに連結され得る。電気手術ブレード１１６は、例えば、タングステンなどの手動で曲げられるように構成された導電性材料から製造される。いくつかの態様においては、導電性材料は、アルミニウム、鋼、または任意の他の好適な金属であり得る。電気手術ブレード１１６は、電気手術ブレード１１６を壊すことなく、好ましい角度に数回曲げられ得、積極的に使用され得る。
【００１９】
電気手術ブレード１１６の導電性材料は、柔軟性を向上させるために特定の方向に配向した粒状構造を含む。例えば、導電性材料の粒子構造は、縦方向に延在するか、または任意の好適な方向に角度を付けられ得る。粒子構造は、例えば剛性の改善など、他の望ましい機械的特性のために特定の方向に配向され得る。
【００２０】
電気手術ブレード１１６は、電気手術ブレード１１６を強化するように構成された、例えば屈曲部などの長手方向に延在する折り目１１８を画定する。折り目１１８による電気手術ブレード１１６の強化により、電気手術ブレード１１６の柔軟性かつ積極的な使用が可能になる。他の態様において、電気手術ブレード１１６は、２つ以上の長手方向に延在する折り目を画定し得る。電気手術ブレード１１６の折り目１１８は直線状であり、電気手術ブレード１１６を、長手方向に延在する折り目１１８の各側に配置された第１の長手方向部１２０ａおよび第２の長手方向部１２０ｂに分割する。本開示の態様において、折り目は、非線形、曲線であり得るか、または電気手術ブレード１１６の長手方向軸に沿って任意の他の好適な形状を想定し得る。
【００２１】
電気手術ブレード１１６の第１および第２の長手方向部１２０ａ、１２０ｂは、折り目１１８の周りで互いに対して約１２０度〜約１７５度の角度になっている。いくつかの態様においては、第１の長手方向部１２０ａと第２の長手方向部１２０ｂとの間の角度は、約１６０度であり得る。第１の長手方向部１２０ａと第２の長手方向部１２０ｂとの間に画定される角度は、望ましい機械的特性、例えば、電気手術ブレード１１６の最も外側の外側縁部１２２ａ、１２２ｂにおける改善されたエネルギー集中を提供する。他の態様においては、第１の長手方向部１２０ａと第２の長手方向部１２０ｂとの間の角度は、電気手術ブレード１１６に沿って近位方向に狭くなり得る。各々の第１および第２の長手方向部１２０ａ、１２０ｂの外側縁部１２２ａ、１２２ｂは、エネルギーをそれに沿って集中させるように構成され、それにより、組織を切断するために必要な電力が少なくなる。
【００２２】
電気手術ブレード１１６は、約０．００２インチ〜約０．００７インチの設定厚みを有し、いくつかの態様においては、電気手術ブレードは、約０．００５インチの設定厚みを有する。いくつかの態様においては、長手方向部１２０ａ、１２０ｂは、折り目１１８から外側縁部１２２ａ、１２２ｂに向かう方向に先細になる厚みを有し得る。
【００２３】
動作中、電極アセンブリ１２は、電気手術器具８のハンドル部分１０に挿入され、その後、電極アセンブリ１２のシャフト１００は、ケーブル４を介して発電機２に連結される。電気手術ＲＦエネルギーは、発電機２によってケーブル４を介して電気手術器具８の電極アセンブリ１２に供給される。より具体的には、電気手術ＲＦエネルギーは、電極アセンブリ１２のシャフト１００から、電気手術ブレード１１６とシャフト１００の連結を介して電極アセンブリ１２の電気手術ブレード１１６に伝達される。
【００２４】
電気手術ブレード１１６に伝達される電気手術ＲＦエネルギーは、電気手術ブレード１１６の折り目１１８から離れて、電気手術ブレード１１６の外側縁部１２２ａ、１２２ｂに向かって集中する。電気手術ブレード１１６の外側縁部１２２ａまたは１２２ｂの一方または両方が、既存の活性電極のために以前に必要とされていたよりも軽い圧力で患者６の組織に適用され、電気手術ブレード１１６の積極的な使用による組織の微細切開を可能にする。既存の活性電極と比較して、電気手術ブレード１１６の外側縁部１２２ａまたは１２２ｂが横断する際に、より速く、より滑らかに、より少ない抗力または引っ掛かりを少なくして、患者６の組織を切断する。使用前または使用中に、閾値力を電気手術ブレード１１６に加えて、電気手術ブレード１１６の長さに沿って選択された位置で電気手術ブレード１１６を曲げてもよい。破損を生じることなく、電気手術ブレード１１６を手動で曲げることにより、臨床医は、電気手術ブレード１１６の形状を調整して、外科的用途によりよく適合させ得る。
【００２５】
本明細書に開示される任意の電気手術ブレード電極の任意の部分またはすべての部分は、任意の好適な技術、例えば機械加工技術によって形成され得る。例えば、任意の切り欠き、縁取り、傾斜、または他の表面形状は、既知のフライス加工技術、エッチング技術、または具体的に説明されていない他の技術によって形成されてもよい。
【００２６】
前述のことから、かつ様々の図面を参照すると、当業者は、本開示の範囲から逸脱することなく、本開示にある特定の修正が行なわれ得ることも理解するであろう。例えば、電気手術ブレード電極は、他の幾何学的構成を含み得る。
【００２７】
本開示の幾つかの実施形態が図面に示されているが、本開示は当該技術分野が許容するのと同程度に広い範囲であるとされるべきであり、本明細書が同様に読み取られるべきであると意図されているので、本開示はこれらの実施形態に限定されることを意図していない。したがって、上記の説明は、限定として解釈されるべきではなく、特定の実施形態の単なる例示として解釈されるべきである。
【図１】
2020189088.tif 000002
【図２】
2020189088.tif 000003
【図３】
2020189088.tif 000004
【図４】
2020189088.tif 000005
【図５】
2020189088.tif 000006